(57)【要約】【課題】軽量化並びにコスト低減が可能なフロアパネル材の提供。【解決手段】床面に敷設される合成樹脂製のフロアパネル材１であって、床面上に立設される複数の脚部２２と、これら脚部２２の上部に設けられて床面に沿う天板部２１と、を有し、天板部２１には二カ所の脚部２２同士を結ぶ方向に延在する開口部が形成されており、開口部の少なくとも一縁部から下方に延出する縦リブ５０（５５）と縦リブ５０（５５）の天板部２１とは反対側から側方に延出する横リブ５１（５６）とを有する。【選択図】図４
2014190104.tif 000002
【特許請求の範囲】
【請求項１】
床面に敷設される合成樹脂製のフロアパネル材であって、
前記床面上に立設される複数の脚部と、
これら脚部の上部に設けられて前記床面に沿う天板部と、を有し、
前記天板部には二カ所の前記脚部同士を結ぶ方向に延在する開口部が形成されており、
前記開口部の少なくとも一縁部から下方に延出する縦リブと、該縦リブの前記天板部とは反対側から側方に延出する横リブとを有することを特徴とするフロアパネル材。
【請求項２】
前記横リブが、前記二カ所の脚部同士を連結することを特徴とする請求項１記載のフロアパネル材。
【請求項３】
前記縦リブが、前記二カ所の脚部同士を連結することを特徴とする請求項１または２記載のフロアパネル材。
【請求項４】
前記縦リブは、一対が前記開口部の両縁部から下方に延出しており、前記横リブは、これら一対の縦リブの前記天板部とは反対側の端縁部同士を連結することを特徴とする請求項１乃至３のいずれか一項記載のフロアパネル材。
【請求項５】
前記一対の縦リブ同士を連結する連結リブが設けられていることを特徴とする請求項４記載のフロアパネル材。
【請求項６】
前記一対の縦リブの間でこれら一対の縦リブに沿って延在する中間リブが設けられていることを特徴とする請求項４または５記載のフロアパネル材。
【請求項７】
前記中間リブが、前記二カ所の脚部同士を連結することを特徴とする請求項６記載のフロアパネル材。
【請求項８】
射出成形により形成されることを特徴とする請求項１乃至７のいずれか一項記載のフロアパネル材。
【発明の詳細な説明】
【技術分野】
【０００１】
本発明は、床面に敷設されるフロアパネル材に関する。
【背景技術】
【０００２】
オフィスビル等の建物において、コンクリートスラブ等からなる床面上にフロアパネル材を敷設して、床面とフロアパネル材との間に空間を形成し、この空間に電源ケーブルや通信ケーブル等を配線することが行われている。このようなフロアパネル材は、床面上に立設される複数の脚部と、これら脚部の上部に設けられて床面に沿う天板部とを有する構造のものが一般的である（例えば、特許文献１〜３参照）。フロアパネル材は、上側に載置される机やキャビネット等の什器を支持するため、ある程度の耐荷重性能が必要とされている。
【先行技術文献】
【特許文献】
【０００３】
【特許文献１】実開平５−８９６８２号公報
【特許文献２】特許第３１４５９０３号公報
【特許文献３】意匠登録第１２２６８６１号公報
【発明の概要】
【発明が解決しようとする課題】
【０００４】
軽量化並びに製造コスト低減を目的としてフロアパネル材を合成樹脂製とすることが行われている。しかしながら、合成樹脂製とすると、所望の耐荷重性能を得るためには、脚部や天板部の肉厚を厚くしたり、補強のためのリブの肉厚を厚くしたりする必要がある。このため、さらなる軽量化並びにコスト低減が要望されている。
【０００５】
本発明は、軽量化並びにコスト低減が可能なフロアパネル材の提供を目的とする。
【課題を解決するための手段】
【０００６】
上記目的を達成するために、請求項１に係る発明は、床面に敷設される合成樹脂製のフロアパネル材であって、前記床面上に立設される複数の脚部と、これら脚部の上部に設けられて前記床面に沿う天板部と、を有し、前記天板部には二カ所の前記脚部同士を結ぶ方向に延在する開口部が形成されており、前記開口部の少なくとも一縁部から下方に延出する縦リブと、該縦リブの前記天板部とは反対側から側方に延出する横リブとを有することを特徴している。
【０００７】
また、請求項２に係る発明は、前記横リブが、前記二カ所の脚部同士を連結することを特徴とする。
【０００８】
また、請求項３に係る発明は、前記縦リブが、前記二カ所の脚部同士を連結することを特徴とする。
【０００９】
また、請求項４に係る発明は、前記縦リブが、一対が前記開口部の両縁部から下方に延出しており、前記横リブは、これら一対の縦リブの前記天板部とは反対側の端縁部同士を連結することを特徴とする。
【００１０】
また、請求項５に係る発明は、前記一対の縦リブ同士を連結する連結リブが設けられていることを特徴とする。
【００１１】
また、請求項６に係る発明は、前記一対の縦リブの間でこれら一対の縦リブに沿って延在する中間リブが設けられていることを特徴とする。
【００１２】
また、請求項７に係る発明は、前記中間リブが、前記二カ所の脚部同士を連結することを特徴とする。
【００１３】
また、請求項８に係る発明は、射出成形により形成されることを特徴とする。
【発明の効果】
【００１４】
請求項１に係る発明によれば、天板部に二カ所の脚部同士を結ぶ方向に延在する開口部が形成されているため、天板部の軽量化が図れる。また、この開口部の縁部から下方に延出する縦リブと、この縦リブの天板部とは反対側から側方に延出する横リブとを有しているため、これら縦リブおよび横リブが二カ所の脚部同士を結ぶ方向に延在することになり、効果的に耐荷重性能を向上できる。よって、天板部の薄肉化が図れる。また、縦リブの天板部とは反対側から側方に延出する横リブを有しているため、これら縦リブおよび横リブを薄肉で形成しても耐荷重性能を向上できる。したがって、軽量化並びにコスト低減が図れる。
【００１５】
請求項２に係る発明によれば、横リブが、二カ所の脚部同士を連結するため、さらに耐荷重性能を向上できる。
【００１６】
請求項３に係る発明によれば、縦リブが、二カ所の脚部同士を連結するため、さらに耐荷重性能を向上できる。
【００１７】
請求項４に係る発明によれば、一対の縦リブの天板部とは反対側の端縁部同士を横リブで連結するため、これら一対の縦リブおよび横リブをさらに薄肉で形成しても耐荷重性能を向上できる。
【００１８】
請求項５に係る発明によれば、一対の縦リブ同士を連結する連結リブが設けられているため、さらに耐荷重性能を向上できる。
【００１９】
請求項６に係る発明によれば、一対の縦リブの間でこれら一対の縦リブに沿って延在する中間リブが設けられているため、さらに耐荷重性能を向上できる。
【００２０】
請求項７に係る発明によれば、中間リブが、二カ所の脚部同士を連結するため、さらに耐荷重性能を向上できる。
【００２１】
請求項８に係る発明によれば、射出成形により形成されるため、開口部、一対の縦リブおよび横リブを容易に形成することができる。
【図面の簡単な説明】
【００２２】
【図１】本発明の一実施形態に係るフロアパネル材を示す上面側の斜視図である。
【図２】本発明の一実施形態に係るフロアパネル材を示す平面図である。
【図３】本発明の一実施形態に係るフロアパネル材を示す図２のＡ矢視図である。
【図４】本発明の一実施形態に係るフロアパネル材を示す下面側の斜視図である。
【図５】本発明の一実施形態に係るフロアパネル材を示す下面図である。
【図６】本発明の一実施形態に係るフロアパネル材を示す部分拡大平面図である。
【図７】本発明の一実施形態に係るフロアパネル材を示す部分拡大下面図である。
【図８】本発明の一実施形態に係るフロアパネル材を示す図２のＢ−Ｂ断面図である。
【図９】本発明の一実施形態に係るフロアパネル材を示す図２のＣ−Ｃ断面図である。
【図１０】本発明の一実施形態に係るフロアパネル材を示す図２のＤ−Ｄ断面図である。
【図１１】本発明の一実施形態に係るフロアパネル材を示す図２のＥ−Ｅ断面図である。
【図１２】本発明の一実施形態に係るフロアパネル材を示す図８のＦ部拡大図である。
【図１３】本発明の一実施形態に係るフロアパネル材を示す図１１のＧ部拡大図である。
【図１４】本発明の一実施形態に係るフロアパネル材を示す図３のＨ部拡大図である。
【図１５】本発明の一実施形態に係るフロアパネル材を示す図８のＩ部拡大図である。
【図１６】本発明の一実施形態に係るフロアパネル材の縁側補強部の断面図である。
【発明を実施するための形態】
【００２３】
以下、本発明の一実施形態に係るフロアパネル材について、図１〜図１６を参照して説明する。
【００２４】
本実施形態に係るフロアパネル材１は、図１，図２に示すように、平面視略正方形状の９カ所のパネル部１１を有している。フロアパネル材１は、ポリプロピレンあるいはポリエチレンテレフタレート等の合成樹脂から製造されるものであり、射出成形により形成される一体成形品である。９カ所のパネル部１１は、ほぼ同形状であり、以下、これらを区別する必要がある場合に、パネル部１１（ａ）〜１１（ｉ）として区別する。
【００２５】
フロアパネル材１は、中央のパネル部１１（ａ）に対し、その四方の各側部に同形状の４つのパネル部１１（ｂ）〜１１（ｅ）が配置されており、フロアパネル材１の外周方向において隣り合うパネル部１１（ｂ），１１（ｃ）の間にはパネル部１１（ｆ）が、隣り合うパネル部１１（ｃ），１１（ｄ）の間にはパネル部１１（ｇ）が、隣り合うパネル部１１（ｄ），１１（ｅ）の間にはパネル部１１（ｈ）が、隣り合うパネル部１１（ｅ），１１（ｂ）の間にはパネル部１１（ｉ）が、それぞれ配置されている。４つのパネル部１１（ｂ）〜１１（ｅ）は、同形状をなしており、フロアパネル材１の外縁部を形成している。４つのパネル部１１（ｆ）〜１１（ｉ）は、同形状をなしており、フロアパネル材１の各角部および各角部の両側の外縁部を形成している。
【００２６】
パネル部１１（ａ）〜１１（ｉ）の隣り合うもの同士は、連結部１５で連結されている。パネル部１１（ａ）と４つのパネル部１１（ｂ）〜１１（ｅ）それぞれとの間には連結部１５が２カ所ずつ設けられている。パネル部１１（ｂ），１１（ｃ）のそれぞれとパネル部１１（ｆ）との間には連結部１５が２カ所ずつ設けられ、パネル部１１（ｃ），１１（ｄ）のそれぞれとパネル部１１（ｇ）との間には連結部１５が２カ所ずつ設けられ、パネル部１１（ｄ），１１（ｅ）のそれぞれとパネル部１１（ｈ）との間には連結部１５が２カ所ずつ設けられ、パネル部１１（ｅ），１１（ｂ）のそれぞれとパネル部１１（ｉ）との間には連結部１５が２カ所ずつ設けられている。これらの連結部１５はすべて同形状となっている。
【００２７】
図１〜図３に示すように、パネル部１１（ｂ）〜１１（ｅ）のそれぞれのフロアパネル材１の外縁部を形成する縁部位置にはバネ部１６が２カ所ずつ形成されている（図３においてはパネル部１１（ｄ）のみ図示）。パネル部１１（ｆ）〜１１（ｉ）のそれぞれのフロアパネル材１の外縁部を構成する各縁部位置には、フロアパネル材１の角部の近傍に、バネ部１６が角部を挟んで２カ所形成され、角部から離れた位置に、角部に対しフロアパネル材１の外周方向一側に内方に凹む係合凹部１７が、角部に対しフロアパネル材１の外周方向逆側に外方に突出する係合凸部１８が形成されている（図３においてはパネル部１１（ｇ），１１（ｈ）のみ図示）。パネル部１１（ｂ）〜１１（ｅ）のそれぞれの２カ所のバネ部１６の間と、パネル部１１（ｆ）〜１１（ｉ）のそれぞれのバネ部１６と係合凹部１７との間と、パネル部１１（ｆ）〜１１（ｉ）のそれぞれのバネ部１６と係合凸部１８との間に、内方に凹む凹部１９が形成されている（図３においてはパネル部１１（ｄ），１１（ｇ），１１（ｈ）のみ図示）。バネ部１６はすべて同形状となっており、係合凹部１７もすべて同形状となっている。また、係合凸部１８もすべて同形状となっており、凹部１９もすべて同形状となっている。
【００２８】
パネル部１１（ａ）〜１１（ｉ）は、それぞれ、図１，図２に示すように略正方形状の天板部２１と、図４，図５に示すように天板部２１の各角部から天板部２１に対し垂直に延出する４カ所の脚部２２とを有しており、すべての天板部２１が基本的に同一平面に配置されるように図１，図２に示す連結部１５によって連結されている。フロアパネル材１は、施工時に、パネル部１１（ａ）〜１１（ｉ）のそれぞれの脚部２２を下側に天板部２１を上側にして床面に敷設されることになるが、その際に床面上に脚部２２が立設される状態になり、天板部２１がこれら脚部２２の上部に設けられて床面に沿うことになる。
【００２９】
パネル部１１（ａ）〜１１（ｉ）は、ほぼ同形状であるため、一つのパネル部１１について説明する。図７に示すように、すべての脚部２２は、それぞれが、天板部２１の角部側に配置されて鉛直方向に沿う一対の外側板部２５と、天板部２１の角部とは反対側に配置されて鉛直方向に沿う一対の内側板部２６とからなる四角筒状をなしている。脚部２２は、一方の外側板部２５および一方の内側板部２６が、この脚部２２近傍の角部を構成する天板部２１の一方の外縁部に平行をなし、他方の外側板部２５および他方の内側板部２６が、この脚部２２近傍の角部を構成する天板部２１の他方の外縁部に平行をなしている。
【００３０】
図６に示すように、天板部２１には、その周方向に隣り合う二カ所の図７に示す脚部２２同士を結ぶ方向に直線状に延在する、図８，図１０にも示す縁側開口部３１が、４つの脚部２２のすべての間位置に形成されている。また、図６に示すように、天板部２１には、その対角線上で隣り合う二カ所の図７に示す脚部２２同士を結ぶ方向に直線状に延在する、図９にも示す対角開口部３２が、４つの脚部２２のすべての対角線位置に、互いに直交するように形成されている。つまり、天板部２１には、図６に示すように、縁側開口部３１が、各縁部に沿って４カ所形成され、対角開口部３２が各対角線上に２カ所形成されている。また、天板部２１には、同一円上に配置される複数の開口部３３と、同一円上に配置される複数の開口部３４と、同一円上に配置される複数の開口部３５と、同一円上に配置される複数の開口部３６と、同一円上に配置される複数の開口部３７とが形成されている。
【００３１】
パネル部１１は、すべての縁側開口部３１のそれぞれを天板部２１の下側で覆う図４，図７に示す縁側補強部４５を有している。すべての縁側補強部４５は、図６に示す縁側開口部３１と同様、天板部２１の周方向に隣り合う二カ所の脚部２２同士を結ぶ方向に延在している。また、パネル部１１は、すべての図６に示す対角開口部３２のそれぞれを天板部２１の下側で覆う図４，図７に示す対角補強部４６を有している。すべての対角補強部４６は、図６に示す対角開口部３２と同様、天板部２１の対角方向に隣り合う二カ所の脚部２２同士を結ぶ方向に延在しており、互いに直交している。
【００３２】
すべての縁側補強部４５は、図６に示すように、対応する縁側開口部３１の延在方向に沿う両縁部から下方に延出する一対の縁側縦リブ５０と、図４，図７に示すように、これら一対の縁側縦リブ５０の天板部２１とは反対側の端縁部同士を連結する縁側横リブ５１とを有している。一対の縁側縦リブ５０は、全長にわたって天板部２１に連結されており、天板部２１に垂直をなしている。縁側横リブ５１は、全長にわたって一対の縁側縦リブ５０に連結されており、天板部２１と平行をなしている。一対の縁側縦リブ５０およびこれらを連結する縁側横リブ５１は、これらが下側から覆う縁側開口部３１の延在方向両側に配置されている二カ所の脚部２２の対向する内側板部２６同士を連結している。これにより、パネル部１１では、図７に示すように脚部２２と縁側補強部４５とが交互に配置されて四角枠状に連結されている。
【００３３】
すべての縁側補強部４５は、図４に示すように、一対の縁側縦リブ５０のうちの内側の縁側縦リブ５０とその両端に連結される脚部２２のそれぞれの内側板部２６との間に、これらを、内側の縁側縦リブ５０と同一平面に配置されて結ぶ一対の傾斜リブ５２を有している。傾斜リブ５２は、接続される脚部２２側に位置するほど天板部２１からの距離が長くなる傾斜形状をなしている。
【００３４】
すべての対角補強部４６は、図６に示すように、天板部２１の対応する対角開口部３２の延在方向に沿う両縁部から下方に延出する一対の対角縦リブ５５と、図７に示すように、これら一対の対角縦リブ５５の天板部２１とは反対側の端縁部同士を連結する対角横リブ５６とを有している。一対の対角縦リブ５５は、全長にわたって天板部２１に連結されており、天板部２１に垂直をなしている。対角横リブ５６は、全長にわたって一対の対角縦リブ５５に連結されており、天板部２１と平行をなしている。一対の対角縦リブ５５およびこれらを連結する対角横リブ５６は、これらが下側から覆う対角開口部３２の延在方向両側に配置されている二カ所の脚部２２の対向する内側角部５７同士を連結している。縁側横リブ５１の天板部２１からの距離と、対角横リブ５６の天板部２１からの距離とは同等になっている。
【００３５】
すべての対角補強部４６は、図４に示すように、対角横リブ５６とその両端に連結される脚部２２のそれぞれの内側角部５７との間に、これらを対角横リブ５６に垂直をなして結ぶ傾斜リブ５８を有している。傾斜リブ５８は、接続される脚部２２側に位置するほど天板部２１からの距離が長くなる傾斜形状をなしている。
【００３６】
すべての縁側補強部４５の外側には、縁側補強部４５のそれぞれが連結する脚部２２の外側板部２５同士をこれらと同一平面に配置されて結ぶ外側リブ６１が設けられている。外側リブ６１は、全長にわたって天板部２１に連結されており、天板部２１に垂直をなしている。外側リブ６１は、連結する脚部２２間の中央所定範囲の天板部２１からの距離が、縁側横リブ５１および対角横リブ５６の天板部２１からの距離と同等になっており、その両側は脚部２２側ほど天板部２１からの距離が長くなって、全体としてアーチ状をなしている。縁側補強部４５の外側の縁側縦リブ５０とその近傍の外側リブ６１との間には、これらを連結する中間リブ６２が設けられている。フロアパネル材１における外縁部側に配置される外側リブ６１とその近傍の縁側補強部４５の外側の縁側縦リブ５０との間には、中間リブ６２が３カ所形成されており、他の外側リブ６１とその近傍の縁側補強部４５の外側の縁側縦リブ５０との間には、中間リブ６２が１カ所形成されている。中間リブ６２も全長にわたって天板部２１に連結されており、天板部２１に垂直をなしている。中間リブ６２は、天板部２１からの距離が、縁側横リブ５１および対角横リブ５６の天板部２１からの距離と同等になっている。
【００３７】
図７に示すように、すべての縁側補強部４５の内側には、対角補強部４６との間に、これら対角補強部４６のそれぞれに沿うとともに互いに交差する一対の内側リブ６５と、これら内側リブ６５の交差位置と縁側補強部４５の内側の縁側縦リブ５０とを結ぶ中央リブ６６とを有している。内側リブ６５は、対角補強部４６の交差側に一端が接続され、他端が分岐して縁側補強部４５と脚部２２の内側板部２６とに接続されている。一対の内側リブ６５および中央リブ６６は、全長にわたって天板部２１に連結されており、天板部２１に垂直をなしている。一対の内側リブ６５および中央リブ６６は、天板部２１からの距離が、縁側横リブ５１および対角横リブ５６の天板部２１からの距離と同等になっている。
【００３８】
一対の内側リブ６５の分岐位置同士を連結するリブ６９が中央リブ６６と直交するように形成されており、リブ６９と中央リブ６６との交差位置と各内側リブ６５との間には、それぞれを連結する一対のリブ７０が設けられている。また、対角補強部４６と内側リブ６５との間には、内側リブ６５の分岐位置と縁側補強部４５の中間部とを連結するリブ７１と、このリブ７１と対角補強部４６との接続位置からリブ７１と直交して内側リブ６５に繋がるリブ７２とが形成されている。脚部２２の内側にも対角方向に一対のリブ７３が形成されている。これらのリブ６９〜７３も全長にわたって天板部２１に連結されており、天板部２１に垂直をなしている。これらのリブ６９〜７３は、天板部２１からの距離が、縁側横リブ５１および対角横リブ５６の天板部２１からの距離よりも短くなっている。
【００３９】
図７に示す縁側補強部４５には、図６，図１０に示すように、一対の縁側縦リブ５０同士を連結する連結リブ８１が縁側補強部４５の延在方向に直交する姿勢で、この延在方向に間隔をあけて複数設けられている。連結リブ８１は、下部が全幅にわたって縁側横リブ５１に連結されており、上部が縁側開口部３１を幅方向に横断している。連結リブ８１は、天板部２１の上面と高さ位置を合わせている。
【００４０】
図７に示す対角補強部４６には、図６に示すように、一対の対角縦リブ５５同士を連結する連結リブ８５が対角補強部４６の延在方向に直交する姿勢で、この延在方向に間隔をあけて複数設けられている。連結リブ８５は、下部が全幅にわたって対角横リブ５６に連結されており、上部が対角開口部３２を横断している。連結リブ８５は、天板部２１の上面と高さ位置を合わせている。対角補強部４６には、一対の対角縦リブ５５の間でこれら対角縦リブ５５に沿って延在する中間リブ８６が、対角配置された脚部２２同士を連結するように形成されている。この中間リブ８６は、すべての連結リブ８５と直交している。中間リブ８６は、下部が全長にわたって対角横リブ５６に連結されており、上部が対角開口部３２を長さ方向に横断している。
【００４１】
連結部１５は、図２，図８に示すように、連結するパネル部１１の対向位置にそれぞれ形成された天板部２１よりも下方に位置する一対の段部９０間に形成されており、図１２に示すように、一対の段部９０のそれぞれから上方に延出する一対の上方延出板部９１と、これら上方延出板部９１の上端同士を連結する連結板部９２と、図１１，図１３に示すように連結板部９２の中央で、図１２に示すように上方延出板部９１同士を連結する中央リブ９３と、図１１，図１３に示すように連結板部９２の両縁部で、図１２に示すように上方延出板部９１同士を連結する一対の縁部リブ９４とを有している。連結部１５は、主に上方延出板部９１の基端側が弾性変形することにより、連結するパネル部１１の相対移動を許容する。
【００４２】
バネ部１６は、図２，図８に示すように、フロアパネル材１の外縁部を構成する天板部２１よりも下方に位置する段部１００に形成されており、図１４，図１５に示すように、段部１００から上方に延出する上方延出板部１０１と、上方延出板部１０１の上端から外方に延出する外方延出板部１０２と、外方延出板部１０２の外端から下方に延出する下方延出板部１０３と、外方延出板部１０２の下面中央で上方延出板部１０１と下方延出板部１０３とを連結する中央リブ１０４と、外方延出板部１０２の両縁部で、上方延出板部１０１と下方延出板部１０３とを連結する一対の縁部リブ１０５とを有している。バネ部１６は、主に上方延出板部１０１の基端側が弾性変形することにより、バネ力を発生させる。
【００４３】
上記のフロアパネル材１が、コンクリートスラブ等からなる床面に複数敷設されることになる。その際に、隣り合うフロアパネル材１同士が、係合凹部１７と係合凸部１８とを嵌合させるとともにバネ部１６同士を突き当てて敷設される。バネ部１６は敷設時には撓んだ状態とされ、フロアパネル材１の熱膨張や熱収縮により隣り合うフロアパネル材１同士が近づいたり離れたりしても弾性変形して常に当接状態を維持する。これにより、フロアパネル材１に生じるガタツキを抑制する。
【００４４】
以上に述べた本実施形態に係るフロアパネル材１によれば、天板部２１に、その外縁部に沿って隣り合うように配置された二カ所の脚部２２同士を結ぶ方向に延在する縁側開口部３１と、天板部２１の対角位置に配置された二カ所の脚部２２同士を結ぶ方向に延在する対角開口部３２とが形成されているため、天板部２１の軽量化が図れる。
【００４５】
また、図１６（ａ）に示すように、縁側補強部４５が、縁側開口部３１の両縁部から下方に延出する一対の縁側縦リブ５０と、これら一対の縁側縦リブ５０の天板部２１とは反対側の端縁部同士を連結する縁側横リブ５１とを有する断面Ｕ字状をなしているため、これら一対の縁側縦リブ５０および縁側横リブ５１が、天板部２１の外縁部に沿って隣り合うように配置された二カ所の脚部２２同士を結ぶ方向に延在することになり、効果的に耐荷重性能を向上できる。また、対角開口部３２の両縁部から下方に延出する一対の対角縦リブ５５と、これら一対の対角縦リブ５５の天板部２１とは反対側の端縁部同士を連結する対角横リブ５６とを有しているため、これら一対の対角縦リブ５５および対角横リブ５６が、天板部２１の対角位置に配置された二カ所の脚部２２同士を結ぶ方向に延在することになり、効果的に耐荷重性能を向上できる。よって、天板部２１の薄肉化が図れる。また、一対の縁側縦リブ５０の天板部２１とは反対側の端縁部同士を縁側横リブ５１で連結するため、これら一対の縁側縦リブ５０および縁側横リブ５１を薄肉で形成しても耐荷重性能を向上できる。また、一対の対角縦リブ５５の天板部２１とは反対側の端縁部同士を対角横リブ５６で連結するため、これら一対の対角縦リブ５５および対角横リブ５６を薄肉で形成しても耐荷重性能を向上できる。したがって、軽量化並びにコスト低減が図れる。なお、図１６（ｂ）に示すように、縁側補強部４５を、縁側開口部３１の一縁部のみに下方に延出する縁側縦リブ５０を形成し、この縁側縦リブ５０の天板部２１とは反対側から側方に延出する縁側横リブ５１を形成する断面Ｌ字状にすることも可能である。
【００４６】
また、縁側横リブ５１が、天板部２１の外縁部に沿って隣り合うように配置された二カ所の脚部２２同士を連結するため、さらに耐荷重性能を向上できる。同様に、対角横リブ５６が、天板部２１の対角位置に配置された二カ所の脚部２２同士を連結するため、さらに耐荷重性能を向上できる。
【００４７】
また、一対の縁側縦リブ５０が、天板部２１の外縁部に沿って隣り合うように配置された二カ所の脚部２２同士を連結するため、さらに耐荷重性能を向上できる。同様に、一対の対角縦リブ５５が、天板部２１の対角位置に配置された二カ所の脚部２２同士を連結するため、さらに耐荷重性能を向上できる。
【００４８】
また、一対の縁側縦リブ５０同士を連結する連結リブ８１が設けられているため、さらに耐荷重性能を向上できる。同様に、一対の対角縦リブ５５同士を連結する連結リブ８５が設けられているため、さらに耐荷重性能を向上できる。
【００４９】
また、一対の対角縦リブ５５の間でこれら一対の対角縦リブ５５に沿って延在する中間リブ８６が設けられているため、さらに耐荷重性能を向上できる。しかも、中間リブ８６が、天板部２１の対角位置に配置された二カ所の脚部２２同士を連結するため、さらに耐荷重性能を向上できる。
【００５０】
また、フロアパネル材１が、射出成形により形成されるため、縁側開口部３１、一対の縁側縦リブ５０および縁側横リブ５１を容易に形成することができ、対角開口部３２、一対の対角縦リブ５５および対角横リブ５６を容易に形成することができる。
【符号の説明】
【００５１】
１  フロアパネル材
２２  脚部
２１  天板部
３１  縁側開口部（開口部）
３２  対角開口部（開口部）
５０  縁側縦リブ
５１  縁側横リブ
５５  対角縦リブ
５６  対角横リブ
８１，８５  連結リブ
８６  中間リブ
【図１】
2014190104.tif 000003
【図２】
2014190104.tif 000004
【図３】
2014190104.tif 000005
【図４】
2014190104.tif 000006
【図５】
2014190104.tif 000007
【図６】
2014190104.tif 000008
【図７】
2014190104.tif 000009
【図８】
2014190104.tif 000010
【図９】
2014190104.tif 000011
【図１０】
2014190104.tif 000012
【図１１】
2014190104.tif 000013
【図１２】
2014190104.tif 000014
【図１３】
2014190104.tif 000015
【図１４】
2014190104.tif 000016
【図１５】
2014190104.tif 000017
【図１６】
2014190104.tif 000018